(57)【要約】【課題】  遊間から雨水や泥水等が漏水して床版のコンクリート構造や主桁の鉄部材またはコンクリート部材の老化の進行早めてしまう問題、特に路面凍結が予想される地域で、冬に塩をまくため橋梁の桁・橋脚の塩害がおきる問題を解決し橋梁を長寿命化、補修までのタイムスパンを延長する。【解決手段】  相対向する両床版コンクリート上面に高段部と、該高段部より低い低段部を設け、両低段部に橋梁の幅方向に勾配を有する排水流路を配設、かつ、非透水性シートまたは防水塗装、高段部上面と摩擦低減被覆金属同士を面接触させて設置する金属平面部を有する部材で両床版コンクリート高段部と遊間の上部全面を一連に覆って遊間に漏水しないようにする。【選択図】  図１３
2005068696.tif 000002
【特許請求の範囲】
【請求項１】
橋梁床版ジョイント上部から排水する構造であって、遊間を介して相対向する一対の床版コンクリートの遊間側上面に、遊間側上端を含む高段部と、該高段部より低い低段部と、該低段部の高段部とは反対側に立ち上がり部を有する切り欠きが設けられ、前記切り欠き低段部に床版コンクリートの幅方向に勾配を有する排水流路が配設され、かつ、  相対向する一方の床版コンクリート切り欠きの立ち上がり部、低段部、高段部を経て、相対向する床版コンクリート間の遊間上部を経由し、相対向する他方の床版コンクリート一方の切り欠きの高段部、低段部、立ち上がり部に至る面を一連に覆う防水手段が配設され、橋梁床版ジョイント上部の水を切り欠き低段部の排水流路に集め、床版コンクリートの幅方向下方へ排水する橋梁床版ジョイント部の排水構造
【請求項２】
防水手段が非透水性シートであり、該非透水性シートが相対向する一方の床版コンクリートの遊間側上端と相対向する他方の床版コンクリートの遊間側上端とで支持されるＵ字型の懸垂弛みをもち、該Ｕ字型の弛みで遊間の伸縮を吸収する請求項１の橋梁床版ジョイント部の排水構造
【請求項３】
一方の床版コンクリート切り欠きの高段部を覆う非透水性シート上面から、相対向する床版コンクリートの遊間上部を覆う非透水性シート上面を経由し、他方の床版コンクリート切り欠きの高段部を覆う非透水性シート上面をさらに一連に覆う非透水性の面状部材が配設された請求項２の橋梁床版ジョイント部の排水構造
【請求項４】
非透水性の面状部材が、遊間上部を覆う非透水性シート上面をさらに覆う部分にひとつ以上のＶ字型断面またはひとつ以上の逆Ｖ字型断面の折れ目を有し、該折れ目の角度変化で遊間の伸縮を吸収する請求項３の橋梁床版ジョイント部の排水構造
【請求項５】
非透水性の面状部材が、遊間上部を覆う非透水性シート上面をさらに覆う部分に波型曲面部を有し、該波型ピッチと波高の変化で遊間の伸縮を吸収する請求項３の橋梁床版ジョイント部の排水構造
【請求項６】
非透水性の面状部材が、概四分の一円弧状断面の曲面ベンド部と該ベンド部に続く直線断面の平面部をもつ２枚の部材を前記平面部で面対象に、かつ、遊間上部を覆う非透水性シート上面をさらに覆う部分にて連結したもので、前記曲面ベンド部の曲率の変化で遊間の伸縮を吸収する請求項３の橋梁床版ジョイント部の排水構造
【請求項７】
防水手段が、相対向する両方の床版コンクリート切り欠きの立ち上がり部、低段部および高段部の表面に一連に塗布された防水剤層または止水剤層と、一方の床版コンクリート切り欠き高段部から、相対向する床版コンクリートの遊間上部を経由し、他方の床版コンクリート切り欠き高段部に至る面を一連に覆う非透水性の面状部材との組み合わせである請求項１の橋梁床版ジョイント部の排水構造
【請求項８】
非透水性の面状部材が、遊間上部を経由する部分にひとつ以上のＶ字型断面またはひとつ以上の逆Ｖ字型断面の折れ目を有し、該折れ目の角度変化で遊間の伸縮を吸収する請求項７の橋梁床版ジョイント部の排水構造
【請求項９】
非透水性の面状部材が、遊間上部を経由する部分に波型曲面部を有し、該波型ピッチと波高の変化で遊間の伸縮を吸収する請求項７の橋梁床版ジョイント部の排水構造
【請求項１０】
非透水性の面状部材が、概四分の一円弧状断面の曲面ベンド部と該ベンド部に続く直線断面の平面部をもつ２枚の部材を前記平面部で面対象に、かつ、遊間上部を経由する部分にて連結したもので、前記曲面ベンド部の曲率の変化で遊間の伸縮を吸収する請求項７の橋梁床版ジョイント部の排水構造
【請求項１１】
非透水性の面状部材の材質が、金属またはゴムまたは樹脂である請求項３から請求項１０に記載された橋梁ジョイント部の排水構造
【請求項１２】
床版コンクリートの切り欠き高段部が、該床版コンクリートの遊間側上端を最高位置とした傾斜面である請求項１から請求項１１に記載された橋梁ジョイント部の排水構造
【請求項１３】
相対向する両方の床版コンクリート切り欠き高段部に摩擦低減被覆された面状の第一の非透水性部材が該被覆を上面として配設され、防水手段が、相対向する両方の床版コンクリート切り欠きの立ち上がり部および低段部表面に塗布された防水剤層または止水剤層と、一方の床版コンクリート切り欠き高段部から、相対向する床版コンクリートの遊間上部を経由し、他方の床版コンクリート切り欠き高段部に至る面を一連に覆う第二の非透水性部材との組み合わせである請求項１の橋梁ジョイント部の排水構造
【請求項１４】
第二の非透水性部材が、コの字の両足部を下方に向けたコの字断面の面状部材であり、かつ、該コの字の両足部の面に挟まれた下面が摩擦低減被覆されたもので、該被覆下面と、面状の第一の非透水性部材の被覆上面とが面接触している請求項１３の橋梁ジョイント部の排水構造
【請求項１５】
第二の非透水性部材が、コの字の両足部を下方に向けたコの字断面であって、内部に耐荷重補強板を有する弾性部材であり、かつ、該コの字両足部の面に挟まれた下面に摩擦低減被覆した面状の第三の非透水性部材が該被覆面を露出して接着され、該被覆下面と、面状の第一の非透水性部材の被覆上面とが面接触している請求項１３の橋梁ジョイント部の排水構造
【請求項１６】
非透水性部材の材質が、金属またはゴムまたは樹脂である請求項１３から請求項１５に記載された橋梁ジョイント部の排水構造
【請求項１７】
摩擦低減被覆が、表面摩擦係数が０．１以下のフッ素系樹脂の被覆または表面摩擦係数が０．１以下のダイヤモンド様炭素の被覆である請求項１３から請求項１６記載の橋梁ジョイント部の排水構造
【発明の詳細な説明】
【技術分野】
【０００１】
本発明は橋梁ジョイント部にて長期間に渡って漏水を防止し、橋梁を構成するコンクリートの劣化を防止する橋梁ジョイント部の排水構造に関する。
【背景技術】
【０００２】
一般に、道路橋や鉄道橋等の橋梁は、図１０に示すように床版３と、床版下の橋桁、支承、橋脚、および床版３の上部に施工される舗装とで構成されている。橋桁は主に鉄製またはコンクリートで、床版は鉄筋コンクリートで形成されている。図１０で、１Ａは道路面直下の舗装材が施工されるゾーン、２Ａは床版コンクリートの切り欠き部、Ｇ１は１Ａに連続して舗装材または伸縮装置が施工されるゾーン、Ｇ２は２Ａに連続して舗装材または伸縮装置が施工されるゾーン、ＧＢは相対向する床版コンクリート双方の間隙、ＧＧは遊間（Ｇ１、Ｇ２、ＧＢもＧＧに含まれる）である。
【０００３】
ここで、伸縮装置とは橋梁の熱膨張や振動による伸縮を吸収する手段である。橋梁は、複数の床版がつなぎ合わせられるとともに床版と床版との間に、橋梁の熱膨張や振動による伸縮を吸収するため、所要の「遊間（床版と床版の間隔）」を有するよう設計・施工される。中央分離帯部の長手方向に沿って形成される遊間は中央分離帯部の縦目地部、床版と床版との間に形成される遊間は横目地部とも呼ばれる。本案はこれら共通に適用できる技術であるので「遊間」と総称する。
【０００４】
橋梁ジョイント部には、多様な排水、防水の対策技術が施されている。図１０でｄ１（１Ａゾーンに配設された排水配管（ドレン配管））、ｄ２（２Ａゾーンに配設された排水配管（ドレン配管））、ｄ３（Ｇ１ゾーンまたはＧ１ゾーン近傍に配設された排水配管（ドレン配管））、ｄ４（Ｇ２ゾーンまたはＧ２ゾーン近傍に配設された排水配管（ドレン配管））などがそうである。ｄ１、ｄ２、ｄ３、ｄ４は橋梁の幅方向、長手方向の二次排水配管系に連結されていて、橋梁外に雨水等を排除する（特許文献１０〜特許文献１３参照）。
【０００５】
遊間部では、２１（遊間の上部を閉塞するように横断して配設された板、スライディングシート）、２２（Ｕ字型に懸垂設置された防水シート、樹脂や金属の桶）、２３（間隙を閉塞するように配設された遊間下落水を防止する部材）が配設されている（特許文献１〜特許文献９参照）。特許文献１４で開示される遮水複合シートの利用が示唆されるが、これは遊間部の防水構造を具体的に開示するものではない。
【０００６】
これら従来の遊間部の防水技術は問題がある。すなわち、ｄ２配管が施されていたとしても、２Ａの下部の床版面のコンクリートには雨水が浸透してしまうし、従来の２１、２２、２３が長期間の使用にて破損して遊間下部に漏水する傾向にある。地震による損傷もある。すると、ＧＢの下方に漏水し橋桁、支承、橋脚に水が浸透する。橋梁にては、遊間から雨水や泥水等が漏水して床版のコンクリート構造や橋桁の鉄部材またはコンクリート部材の老化の進行をより一層早めてしまう。特に路面凍結が予想される地域では、冬に塩をまくため遊間の防水が不完全であると橋梁の桁・橋脚の塩害（塩の金属イオンによるコンクリートの劣化）が発生する。
【０００７】
【特許文献１】特許1041646（特公昭55-032123号公報）「道路継目部構造」新井元之助
【０００８】
【特許文献２】特許0598107（特公昭45-025549公報）「可撓性封鎖装置」マクラレンラバー（スコットランド）
【０００９】
【特許文献３】英国特許GB2218437号明細書「Expansion joint for roads and bridges 」ショーボンド建設株式会社
【００１０】
【特許文献４】米国特許US3838931号明細書「ELASTIC ROAD BRIDGE JOINT」VALLA A
【００１１】
【特許文献５】特許第3269038号公報「道路橋埋設ジョイント用閉塞手段の構造」新井元之助
【００１２】
【特許文献６】特許第3407090号公報「伸縮ジョイントのシール材」西川ゴム工業株式会社
【００１３】
【特許文献７】特許第3328802号公報「橋梁における排水装置」中村真佐子他
【００１４】
【特許文献８】特許第2530569号公報「目地内止水方法」ショーボンド建設株式会社、阪神高速道路公団
【００１５】
【特許文献９】特開平10-298907号公報「道路遊間補強材」株式会社ブリジストン
【００１６】
【特許文献１０】実公平05-33522号公報「道路橋の伸縮継手における排水装置」株式会社綜合メンテナンス
【００１７】
【特許文献１１】特開平09-111717号公報「橋梁道路の導水装置」静岡瀝青工業株式会社
【００１８】
【特許文献１２】特許第3186992号公報「道路橋の排水装置、伸縮装置、伸縮継手及び排水装置」日本伸縮装置工業株式会社
【００１９】
【特許文献１３】特許第2813730号公報「道路橋における二次排水装置」昭和シェル石油株式会社他
【００２０】
【特許文献１４】特許第2714921号公報「自己修復性遮水用複合シート」東洋紡績株式会社他
【発明の開示】
【発明が解決しようとする課題】
【００２１】
橋梁遊間部の長期漏水防止ができず橋梁の劣化が予想外に進行している。その理由は、遊間に使った漏水対策材、漏水対策装置が長期的には不充分なものであるからである。特に路面凍結が予想される地域では、冬に塩をまく。その塩が遊間から流下し橋梁の桁・橋脚コンクリートにダメージを与える。塩の金属イオンがコンクリートを著しく劣化さすので「塩害」と呼ばれ深刻な問題となっている。
【００２２】
コンクリートはポーラス（多孔）であって透水するものであり、それが経年変化する。施工時には水の浸透はほとんどなくても、表面が変化し、しだいに透水していく。そのため、床版上部、遊間部のコンクリート部への水の侵入は従来技術では防止できず、無防備な状態である。本発明は、こういった問題に注目し橋梁ジョイント部の充分な排水構造の提供を課題とする。
【課題を解決するための手段】
【００２３】
本案は上記の問題に着目し遊間へ水を入れない、という設計思想の実現を徹底することで発明された。非透水シート、防水剤または止水剤の塗布などで遊間を横断して覆う非透水の防水ブリッジを形成し、遊間への水侵入を避け、かつまた、橋梁端を高段部と低段部の二段構造として低段部に排水流路を設け、防水ブリッジで遊間を避けた水を遊間から離隔した位置（橋梁の両側）に流下排除する、というものである。
【００２４】
床版コンクリート３が遊間ＧＧを介して相対向する橋梁ジョイント部の防水構造である本案の主発明（請求項１）の第一要素は、床版コンクリート３の遊間側上面に該床版コンクリートの遊間側上端１０を含む高段部２Ｂと、該高段部より低い低段部２Ｃと、該低段部の高段部とは反対側の立ち上がり部２Ｄとからなる切り欠きが設けられ、前記切り欠き低段部２Ｃに床版コンクリートの幅方向に勾配を有する排水流路ｄｒが配設されていることである（図１１参照）。
【００２５】
本案の主発明（請求項１）の第二要素は、相対向する一方の床版コンクリート切り欠きの立ち上がり部、低段部、高段部を経て、相対向する床版コンクリートの遊間上部を経由し、相対向する他方の床版コンクリート一方の切り欠きの高段部、低段部、立ち上がり部に至る床版コンクリート上面と遊間上面を一連に覆う水を浸透させない手段（防水手段）２０である。構造例を図１２に示す。
【００２６】
図１２（ａ）は防水手段が非透水性シート５である実施態様の説明図である。図１２（ｂ）は防水手段が切り欠き部表面に塗布された防水または止水剤層７と、該塗布層面を覆う非透水性の面状部材との組み合わせである態様の説明図（請求項７）である。図１２（ｂ）では、平面状の非透水性の面状部材４ｆが塗布界面でスライドして伸縮吸収している。図１２（ｃ）は非透水性の面状部材に逆Ｖ字型断面の折れ目がある４ｃであって、折れ目角度変化で伸縮吸収している例図である。図１２では、それぞれ一連に覆う防水手段２０が５、または７と４ｆの組み合わせ、または７と４ｃの組み合わせである。
【００２７】
切り欠き低段部２Ｃを設け、かつ、床版コンクリート上面と遊間上面を一連に覆う防水手段２０をあわせもつことで、Ｇ１、Ｇ２の伸縮性舗装材や伸縮装置などが劣化・破損したとしても、水は２０によってＧ３、ＧＧには落下しない。水は２Ｃに流下し、さらにｄｒで橋梁横断方向に流下排除される。２０によって一連にカバーされているので床版上部コンクリートへの浸透もない。ｄｒはたとえば、特許文献１０、１１のようなスパイラル状の構造、特許文献１２のような舗装面の排水配管系を踏襲した配管系、特許文献１３のような二次排水配管系を構成してもよい。このような構成で遊間ＧＧへの水侵入が避けられる。かつまた、高段部と低段部の二段構造となっているので、ｄｒがある低段部２Ｃに遊間から水を流下誘導し排除する。さらにまた低段部２Ｃは橋梁の幅方向（紙面の前後方向）に勾配を有するので（図５（ｃ）参照）、排除された水は遊間から離隔されて落下排除される。
【００２８】
図１２（ａ）の態様では、２０は非透水性シート５であり、該非透水性シートが相対向する双方の床版コンクリートの遊間側上端２０で支持されるＵ字型の懸垂弛みをもち、該Ｕ字型の弛みで遊間の伸縮を吸収する（請求項２）。非透水性シートはたとえば、特許文献１４の自己修復性遮水用複合シートでもよい。非透水性の面状部材でこの非透水性シート上面をさらに覆ってもよい（請求項３）。この場合、非透水性の面状部材も伸縮吸収容易となるように非透水性の面状部材にひとつ以上のＶ字型または逆Ｖ字型断面の折れ目があるとよい（図４（ａ）（ｂ）参照）。該折れ目の角度が変化して遊間の伸縮を吸収できるからである（請求項４）。このような構造は特許文献４にも見られるが、特許文献４はＧ２部に限られた伸縮装置であって本案のように床版全般の防水を実現する全体構成は開示されていない。
【００２９】
非透水性の面状部材が波型曲面部を有してもよい。波型ピッチと波高の変化で遊間の伸縮を吸収できる（請求項５）。ただしこの場合、図４（ｃ）（ｄ）中に図示されるように波型断面の曲面部を設けた非透水性の面状部材４ｅと共に、４ｅを補強する補強版４ｅｘを設けたほうがよい。波型断面でこのような伸縮吸収させるとバックリング現象と呼ばれる不均等変形が生じることがあるからである。補強版４ｅｘは、片方の床版のみに（片持ちで）固定されていればよい。なお、図４（ｃ）（ｄ）は防水または止水剤層７と非透水性の面状部材との組み合わせで図示されているので、非透水性シート５は図示されていない。
【００３０】
本案の防水手段の別態様は、防水剤または止水剤と非透水性の面状部材との組み合わせである（図１２（ｂ）参照）。すなわち（請求項７）、防水手段が、相対向する両方の床版コンクリート切り欠きの立ち上がり部、低段部および高段部の表面に一連に塗布された防水剤層または止水剤層と、一方の床版コンクリート切り欠きの高段部の前記防水剤層または止水剤層の塗布面から、相対向する床版コンクリートの遊間上部を経由し、他方の床版コンクリート切り欠きの高段部の前記防水剤層または止水剤層の塗布面を覆う非透水性の面状部材との組み合わせである。
【００３１】
平板状の非透水性の面状部材４ｆは伸縮にあわせスライドする。４ｆ周囲には伸縮吸収する弾性材等の伸縮材を配設するのが好ましく、その伸縮材の材質は特許文献９に開示されている素材（公知の加硫ゴムや特許文献９記載の樹脂からなる滑り層の材）を踏襲すればよい。もちろん、非透水性の面状部材自体が伸縮吸収容易となるように非透水性の面状部材にひとつ以上のＶ字型または逆Ｖ字型折れ目、または波型があると伸縮吸収が好適になされるので好ましい（請求項８、請求項９）。
【００３２】
非透水性の面状部材の材質は、金属またはゴムまたは樹脂（金属板またはゴム板または樹脂板）のどれであっても耐久性・経済性（施工性）に見合うものであればよい（請求項１１）。
【００３３】
床版コンクリートの切り欠き高段部２Ｂは、該床版コンクリートの遊間側上端１０を最高位置とした傾斜面であるとよい（請求項１２）。水は防水手段２０によってＧ３には落下しないで低段部２Ｃに流下するが、高段部２Ｂに傾斜があると２Ｃへの流れがさらに円滑となり、より望ましいからである（図２、図３参照）。
【００３４】
本発明の実施形態を上記と一部重複するが図１〜図９の施工断面例で説明する。図１（ａ）の１が舗装材、２が弾性（伸縮性）舗装材である。図１（ａ）にて遊間ＧＧの上部開口部を閉塞するように遊間上部を横断して配設された非透水性の面状部材４ｄ（Ｖ字形断面の溝を設けた非透水性の面状部材）が配設されている。非透水性の面状部材の遊間上部を覆う部分に谷形断面の折れ目があり、該折れ目の角度が変化して遊間の伸縮を吸収する。４ａは４ｄを固定するアンカーボルトで、伸縮があるので３の一方のみに打たれている。非透水性の面状部材にて４aが通る孔のゆとり（バカ穴）８があったほうがよい。５が遊間ＧＧ上部開口部を閉塞し、かつ、切り欠き立ち上がり部までの床版上部を一連に配設された非透水性シート、６は５を接着する接着剤、ｄｒは低段部に設けられた排水配管（ドレン配管）である。
【００３５】
図１（ａ）の態様は伸縮が比較的小さく５ｃｍ程度と想定される例で、Ｇ１には１を、Ｇ２には２が施工されている。この場合、遊間の伸縮は４ｄの山と５のＵ字弛み、および４ｄ上の弾性（伸縮性）舗装材が吸収する。さらに小さい伸縮と想定される場合には、２ＡとＧ２に弾性（伸縮性）舗装材２を使用せず、全面に非弾性（非伸縮）の舗装材１としてコストダウンしてもよい。万一舗装材が割れても、水がｄｒ経由で両サイドへ流れるようになっているので、割れ補修までの期間にコンクリートがダメージされることはない。なお、図１（ｂ）は1ＡとＧ１ゾーン共に弾性（伸縮性）舗装材２のみで路面舗装した例である。２は比較的高価であるため図１（ｂ）の態様はコスト高であるが１０ｃｍ程度の比較的大きな伸縮にも対応できる。
【００３６】
図２は高段部２Ｂが１０から切り欠き低段部２Ｃに向かって傾斜する傾斜面とした施工例である。このような傾斜があったほうが遊間から水を排除するのに好適であり、他の施工例でも同様に適用できる。傾斜は１０を最高位置として複数の平面と複数の傾斜面を組み合わせた多段の階段状の構成でもよい。
【００３７】
防水手段を防水剤または止水剤と非透水性の面状部材の組み合わせとした態様を図３に示す。これは高段部傾斜面を設けた例である。もちろんこれと同じ構成で高段部が平面であってもよい。図３の４ｃが、遊間上部開口部を閉塞する部分に逆Ｖ字型断面の突起を設けた非透水性の面状部材である。７は床版コンクリート切り欠きの立ち上がり部表面、低段部表面、高段部表面に塗布された防水剤層または止水剤層である。４ｃは、高段部傾斜面にあわせて「くの字」断面に折られている。
【００３８】
図３のように、遊間の両側に４ａ（４ｃを固定するアンカーボルト）を使用する施工にては、橋梁の伸縮余裕として４aが通るアンカーの孔の径を大きくした孔（バカ穴）８とするのがよい。これは図１（ａ）の態様の片側固定アンカーボルトと同様である。
【００３９】
本案の他の実施態様を図５〜図９に示す。新たに加わった要素は、相対向する両方の床版コンクリート切り欠き高段部に摩擦低減被覆された面状の第一の非透水性部材が該被覆を上面として配設されていることである（請求項１３）。その要素に加え、防水手段は前述同様の相対向する両方の床版コンクリート切り欠きの立ち上がり部および低段部表面（および高段部表面）に塗布された防水剤層または止水剤層を必要とし、さらにその防水剤層または止水剤層と、一方の床版コンクリート切り欠き高段部から、相対向する床版コンクリートの遊間上部を経由し、他方の床版コンクリート切り欠き高段部に至る面を一連に覆う第二の非透水性部材が防水要素として必要で、それらの組み合わせである。
【００４０】
第二の非透水性部材にいくつかの態様がある。まず第二の非透水性部材が、コの字断面に折り曲げ加工され、該コの字両足部に挟まれた下面が摩擦低減被覆されたコの字断面の面状部材であり（請求項１４）、該コの字両足部に挟まれた下面と、切り欠き高段部の面状の第一の非透水性部材被覆上面とが面接触している（図８）。図８（ａ）はＰｇの説明図で、Ｐｇがコの字両足部に挟まれた下面が摩擦磨耗低減被覆されたコの字断面の第二の非透水性部材である。図８（ｂ）（ｃ）（ｄ）はPｇを用いた本案の橋梁ジョイント部施工の説明図である。
【００４１】
また非透水部材が、コの字断面で該コの字両足部に挟まれた下面に摩擦低減被覆した面状の第三の非透水性部材が被覆面を露出して接着された内部に耐荷重補強板を入れた弾性部材であってもよい（請求項１５）。コの字両足部に挟まれた下面と切り欠き高段部の面状の第一の非透水性部材被覆上面とが面接触している（図５、図６、図７）。図５（ａ）はＧｇ（断面がコの字型の弾性部材）の説明図、図５（ｂ）はＧｇを配設する高段部に摩擦磨耗低減表面被覆（Ｃ）されたＬ（Ｌ型金属板）を施工することの説明図、図５（ｃ）は、断面（ｂ）の斜視図で排水のために低段部排水手段に横断勾配があること（請求項１）の説明図である。ＬａはＬ型金属板のアンカーボルト、ＬｈはＬ型鋼板のコンクリート打設時のエア抜き孔である。
【００４２】
もちろん、金属板Ｌはゴム製、樹脂製でもよく、その他の第一・第二・第三の非透水性部材の材質も、金属またはゴムまたは樹脂のいずれでもよく、耐久性・経済性（施工性）に見合うものを選定すればよい（請求項１６）。
【００４３】
Ｇｇ（断面がコの字型の弾性部材）の下面に摩擦低減被覆した非透水性面状部材がコの字両足部に挟まれた下面に摩擦低減被覆面Ｃを露出して接着されている。このコの字両足端が低段部２Ｃに定着して設置される。上下面の摩擦低減被覆は、表面摩擦係数が０．１以下のフッ素系樹脂の被覆である。これは、たとえばテフロン（登録商標）（Teflon：Dupont社）などのＰＴＦＥ(Polytetrafluoroethylene)lytetrafluoroethylene)に代表されるいわゆるフッ素系ポリマー：PTFE、FEP、MFA、PFAなどを主成分とした耐磨耗、低摩擦素材の被覆である。また、多少コスト高ではあるが、近年実用用途が広がりつつあるダイヤモンド様炭素（diamod like carbon:ＤＬＣ）の被覆でもよい（請求項１７）。ダイヤモンド様炭素（diamod like carbon:ＤＬＣ）は金属表面にはもちろんであるが、ゴム表面や樹脂表面にも被覆することが可能である。これら摩擦低減被覆技術は公知である。
【００４４】
さらにまた、非透水部材が図９のような平板型弾性部材Ｇｆでもよい。Ｇｆの構成はＧｇのコの字両足部を省略した簡易型である。これら図５〜図９の態様は、基本的には特許文献９に記載されたスライディング・シートの考え方を拡張し本案に応用したものである。
【００４５】
図６、図７にＧｇをもちいた本案排水構造の施工説明図を示す。図６（ａ）はＧｇの配設イメージ図、図６（ｂ）はＧｇを配設した後の図、図６（ｃ）は弾性（伸縮性）舗装材２の充填、図６（ｄ）は舗装材１の施工説明図である。図７（ｃ）は図６（ｂ）と同様にＧｇを配設した後、舗装材１を施工する。その後で、弾性（伸縮性）舗装材２を充填する（図７（ｄ））。図６、図７のような舗装材１と弾性（伸縮性）舗装材２の使い分けは現場状況と伸縮予想で行う。前述のようにＧ１には１を、Ｇ２には２が施工され特別な伸縮装置は用いない。床版から上の伸縮はこの弾性（伸縮性）舗装材が吸収する。さらに小さい伸縮である場合、２ＡとＧ２に弾性（伸縮性）舗装材２も使用せず舗装材１でもよい。万一舗装材が割れても、水がｄｒ経由で両サイドへ流れるようになっているので、割れ補修までの期間にコンクリートがダメージされることはない。
【発明の効果】
【００４６】
本発明では、万一舗装面のアスファルト等舗装材、弾性（伸縮性）舗装材に亀裂が入っても、水は橋梁の横断方向の両サイドに出て行き、遊間ＧＧに水が流入しない。遊間ＧＧへの水侵入がほぼ完璧に抑えられる、と言える。したがって、従来の遊間部での漏水による問題はほとんど解決される。すなわち本案適用により、遊間から雨水や泥水等が漏水して床版のコンクリート構造や主桁の鉄部材またはコンクリート部材の老化の進行を早めてしまう問題、特に路面凍結が予想される地域の塩害問題が解決され、橋梁が長寿命化し補修までのタイムスパンが延長する。
【発明を実施するための最良の形態】
【００４７】
弾性（伸縮性）舗装材２は、たとえばヒートロック株式会社が商品名「ヒートロック」、横浜ゴム株式会社が商品名「ソーマージョイント（thorma joint）」で市販している伸縮ゴム系材料である。
【００４８】
非透水性部材の金属は鋼、金属板は鋼板、望ましくはステンレスが好適である。非透水性部材のゴム板、ゴム部材のゴム材料は、天然ゴム、ＳＢＲ、ＢＲ、ＩＲ、ＣＲ、ＩＩＲ、ＮＢＲ等の通常のゴムでよい。弾性部材ＧｆまたはＧｇは、遊間が比較的広い場合、遊間上の荷重を支持する耐荷重力が必要であるのでゴム材等の弾性材の中に耐荷重補強板Ｐ（弾性部材の補強用に弾性部材の内部に配設された金属板）をいれたものが好ましい。これも鋼板でよい。
【００４９】
非透水性シート５は、シーアイ化成株式会社の商品名「ビノン土木用シート」「ビノンＷＲシート」などの塩化ビニールが主成分のものが望ましい。該塩化ビニールシートでの引張強さは、１６０ｋｇｆ/ｃｍ２以上で伸びが３００％以上、ゴムシートの場合での引張強さは、１２７ｋｇｆ/ｃｍ２以上で伸びが８０％以上のものが望ましい。もちろん、特許文献１４の自己修復性遮水用複合シートでもよい。
【００５０】
また、摩擦低減被覆を施した金属部は、東京ファブリック株式会社の商品名「ネオスライド沓」などの表面をＰＴＦＥで被覆してスライド（横すべり移動）での磨耗を低減した市販製品を利用することも可能である。ダイヤモンド様炭素（diamod like carbon:ＤＬＣ）被覆は、たとえば神戸製鋼株式会社（商標UBMS）、株式会社サムコインターナショナル研究所、株式会社マテリアルハウスなど多くの被覆受注会社がある。これら被覆面は表面摩擦係数が０．１以下である。
【００５１】
請求項２または請求項７の防水手段の遊間部の構成にて、Ｖ字型または逆Ｖ字型や波型以外の実施態様を図１３、図１４に示す。これは（請求項６、請求項１０）、非透水性の面状部材が、概四分の一円弧状断面の曲面ベンド部３０Ｂと該ベンド部に続く直線断面の平面部３０Ｆをもつ２枚の部材を前記平面部３０Ｆで面対象に、かつ、遊間上部を覆う非透水性シート上面をさらに覆う部分にて連結したもので、この連結部が遊間の概中央になるよう配設する。連結手段はネジとナット３２など（図１４）や、図１３のように溶接３１で３０Ｆ端部の継ぎ目を部分的に溶接（スポット溶接）してもよい。
【００５２】
この場合、曲面ベンド部３０Ｂが変化して（円弧の曲率などが変化して）遊間の伸縮を吸収する。このように曲面ベンド部３０Ｂが遊間に配設されることで床版の水平方向の伸縮移動だけでなく上下方向の移動にも左右の円弧部の形状（曲率）を変えて吸収することができるので好適である。
【００５３】
図１４は、２枚の３０と、これらの３０Ｆで挟まれたＵ字型断面の非透水面状部材３０Ｕを用いた例である。このようにＵ字型断面の非透水フレキシブル部材を挟んで構成すれば比較的長い遊間にも対応できる。
【００５４】
なお、２枚の３０の結合端にて上向きのライン状の継ぎ目ができるので該継ぎ目の防水をするほうがさらに好適である。ライン状継ぎ目を覆う非透水部材（３３）を図１４中に例示した。３３はたとえばステンレス薄板を逆Ｕ字型断面に曲げ加工したもので、この逆Ｕ字でライン状の継ぎ目を覆い、３０を連結するネジとナット３２に３０と重ねて固定した。
【００５５】
また図示は省略するが、図１４の構成でＵ字型断面の非透水面状部材３０Ｕを逆Ｕ字として２枚の３０の３０Ｆで挟んだ構成でもよい。特に３０Ｕを図１４とは上下逆にした逆Ｕ字を２枚の３０の３０Ｆの外側から挟むようにするのが望ましい。こうすれば、前記のライン状継ぎ目を覆う非透水部材（３３）がなくても該継ぎ目の防水ができるので、さらに好適である。
【００５６】
請求項２または７記載の非透水性面状部材の遊間上の部分形状について、Ｖ字断面または逆Ｖ字断面（４ｃ、４ｄ）、波型（４ｅ）、概四分の一円弧状断面の曲面ベンド部と該ベンド部に続く直線断面の平面部をもつ２枚の部材３０の連結の３種の態様を記載した。本案はこれら３種に限定されない。すなわち、遊間上の非透水性面状部材が平板ではなく、伸縮に応じて変形しやすいものであればよい。たとえば、コの字および逆コの字断面の結合の連続からなる断面形状でも良い。このような折れ目断面または曲面をもつ面状部材形状は他にも多く、そういった任意の変形容易なる形状を本案請求項２または７記載の非透水性面状部材の遊間上の部分形状として採用することができる。
【００５７】
また、非透水性面状部材の遊間上の部分形状が波型（４ｅ）の場合に、補強版４ｅｘの配設が好適であるとした。その他任意の実施態様において、同様の補強板を遊間の荷重に対する耐荷重補強支持板として片方の床版のみに（片持ちで）固定配設するようにしてもよい。こういった補強支持板を図４（ｃ）および（ｄ）の例示と同様に本件の排水構造に組み込んで設計施工することは容易にできる。
【産業上の利用可能性】
【００５８】
本案は新設橋梁のみならず、Ｇｇ（断面がコの字型の弾性非透水部材）またはPｇ（コの字断面になるよう折られた非透水面状部材）等の本案の要素部材をダメージされた橋梁現地に持ちこみ補修施工することが可能である。この場合工期を短縮できる。
【図面の簡単な説明】
【００５９】
【図１】（ａ）４ｄと５（非透水性シート）をもちいた橋梁ジョイント部の例、（ｂ）前例で遊間上部を弾性（伸縮性）舗装材２のみで路面舗装した例
【図２】高段部が１０から切り欠き低段部に向かって傾斜する傾斜面である例
【図３】４ｃと７（防水剤または止水剤塗布層）との組み合わせで、かつ高段部が傾斜面である例
【図４】（ａ）複数の逆Ｖ字形断面の突起を設けた４ｃの実施例図、（ｂ）複数のＶ字形断面の溝を設けた４ｄの実施例図、（ｃ）および（ｄ）波型断面の曲面部を設けた４ｅの実施例図（波型は伸縮で不均等な変形が起こる恐れがあるので４ｅを補強する補強版４ｅｘが片方の床版のみに（片持ちで）固定配設されるのが望ましい）
【図５】（ａ）Ｇｇ（断面がコの字型の弾性部材）の説明図、（ｂ）高段部に摩擦磨耗低減表面被覆（Ｃ)されたＬ（Ｌ型金属板）を配設する説明図、（ｃ）低段部排水手段に横断勾配があることの説明図
【図６】（ａ）Ｇｇ（断面がコの字型の弾性部材）配設の説明図、（ｂ）Ｇｇ配設後の図、（ｃ）弾性（伸縮性）舗装材２の充填施工図、（ｄ）舗装材１の施工図
【図７】（ｃ）舗装材１の施工図、（ｄ）弾性（伸縮性）舗装材の充填施工図
【図８】（ａ）ＰｇとＰｇ配設説明図（折り曲げたコの字両足部に挟まれた下面が摩擦低減被覆されているコの字断面の面状の第二の非透水性部材）、（ｂ）Ｐｇ配設後の図、（ｃ）舗装材１の施工図、（ｄ）弾性（伸縮性）舗装材の充填施工図
【図９】Ｇｆ（断面が矩形の弾性部材）の説明図
【図１０】従来の橋梁ジョイント部の防水構造の説明図
【図１１】高段部２Ｂと低段部２Ｃと立ち上がり部２Ｄとからなる本案の切り欠きの説明図
【図１２】（ａ）防水手段が非透水性シートである（請求項２）実施態様説明図、（ｂ）防水手段が切り欠き部表面に塗布された防水剤層または止水剤層および高段部の防水剤層または止水剤層の面を覆う非透水性の面状部材の組み合わせである（請求項５）実施態様説明図、（ｃ）非透水性の面状部材のＶ字形または逆Ｖ字形断面の折れ目角度が変化して遊間の伸縮を吸収することの説明図
【図１３】概四分の一円弧状断面の曲面ベンド部３０Ｂと該ベンド部に続く直線断面の平面部３０Ｆをもつ２枚の部材を前記平面部３０Ｆで面対象に連結したものを用いた例図
【図１４】２枚の３０と、これらの３０Ｆで挟まれたＵ字型断面の非透水面状部材３０Ｕを用いた例図
【符号の説明】
【００６０】
１    舗装材
１Ａ  道路面直下の舗装材が施工されるゾーン  
２    弾性（伸縮性）舗装材    
２Ａ  床版コンクリートの切り欠き部
２Ｂ  床版コンクリート切り欠き部の遊間側上端１０を含む高段部
２Ｃ  床版コンクリート切り欠き部の低段部
２Ｄ  低段部の高段部とは反対側の立ち上がり部
３    相対向する橋梁の一方または他方の床版コンクリート
４ａ  アンカーボルト
４ｃ  逆Ｖ字形断面の突起を設けた非透水性の面状部材
４ｄ  Ｖ字形断面の溝を設けた非透水性の面状部材
４ｅ  波型断面の曲面部を設けた非透水性の面状部材
４ｅｘ  ４ｅを補強する補強版であって、片方の床版のみに（片持ちで）固定される  
４ｆ  平板状の非透水性の面状部材
５    非透水性シート
６    ５を接着する接着剤
７    切り欠き立ち上がり部、低段部、高段部に一連塗布された防水剤層または止水剤層
８    ４aが通る非透水性の面状部材の孔のゆとり（バカ穴）
１０  床版コンクリートの遊間側上端
２０  床版コンクリート上面と遊間の上面を一連に覆う防水手段
２１  従来の、遊間の上部を閉塞するように横断して配設された板、スライディングシート
２２  従来の、Ｕ字型に懸垂設置された防水シート、樹脂や金属の桶
２３  従来の、間隙を閉塞するように配設された遊間下落水を防止する部材
３０  概四分の一円弧状断面の曲面部３０Ｂと３０Ｂに続く直線断面の平面部３０Ｆをもつ非透水面状部材
３０Ｂ  概四分の一円弧状断面の曲面部
３０Ｆ  ３０Ｂに続く直線断面の平面部３０Ｆ
３０Ｕ  ２枚の３０の３０Ｆで挟まれたＵ字型断面の非透水面状部材
３１  ２枚の３０を溶接で連結した溶接接合材
３２  ２枚の３０の連結手段（ネジとナットなど）
３３  ２枚の３０の３０Ｆ結合端上向きライン状継ぎ目を覆う部材（金属薄板など）
Ｃ    摩擦磨耗低減のための表面被覆（テフロン（登録商標）などの表面被覆）
ｄ１  １Ａゾーンに配設された排水配管（ドレン配管）
ｄ２  ２Ａゾーンに配設された排水配管（ドレン配管）
ｄ３  Ｇ１ゾーンまたはＧ１ゾーン近傍に配設された排水配管（ドレン配管）
ｄ４  Ｇ２ゾーンまたはＧ２ゾーン近傍に配設された排水配管（ドレン配管）
ｄｒ  切り欠き低段部２Ｃに配設された床版コンクリート幅方向に勾配を有する排水配管（ドレン配管）
Ｇ１  １Ａに連続して舗装材または伸縮装置が施工されるゾーン
Ｇ２  ２Ａに連続して舗装材または伸縮装置が施工されるゾーン
ＧＢ  相対向する床版コンクリート双方の間隙
Ｇｆ  断面が矩形の弾性部材（第二の非透水性部材）
Ｇｇ  断面がコの字型の弾性部材（第二の非透水性部材）
ＧＧ  遊間（Ｇ１、Ｇ２、ＧＢもＧＧに含まれる）
Ｐ    弾性部材の補強用に弾性部材の耐荷重補強板
Ｐｇ  コの字両足部に挟まれた下面が摩擦磨耗低減被覆されたコの字断面非透水性面状部材（第二の非透水性部材）
Ｌ    被覆ＣをもつＬ型金属板（面状の第一の非透水性部材）
Ｌａ  Ｌのアンカーボルト
Ｌｈ  Ｌのコンクリート打設時のエア抜き孔
ｔＰ  薄厚の非透水性の面状部材（シート状非透水性の面状部材）
【図１】
2005068696.tif 000003
【図２】
2005068696.tif 000004
【図３】
2005068696.tif 000005
【図４】
2005068696.tif 000006
【図５】
2005068696.tif 000007
【図６】
2005068696.tif 000008
【図７】
2005068696.tif 000009
【図８】
2005068696.tif 000010
【図９】
2005068696.tif 000011
【図１０】
2005068696.tif 000012
【図１１】
2005068696.tif 000013
【図１２】
2005068696.tif 000014
【図１３】
2005068696.tif 000015
【図１４】
2005068696.tif 000016